(57)【要約】【課題】  複数種類の機能動作を選択的に実行して指針により異種類の情報を表示する情報表示装置において、ユーザにどの機能動作が実行されているのか、指針により何の情報が表示されているのか容易に認識させることを可能にする。【解決手段】  複数種類の機能動作を選択的に実行することが可能な指針式の情報表示装置である。そして、開口部（６１〜６５）を有する文字板（５）と、文字板上で回転して情報を指し示す指針（２〜４）と、複数種類の標章（“１２，３，６，９”，“TIME”，“Ｎ，Ｅ，Ｓ，Ｗ”，“COMP”）を有し文字板の下で回転する回転板（２１）と、実行中の機能動作に応じて回転板（２１）を回転させて対応する標章を開口部（６１〜６５）から選択的に露出させる回転板制御手段とを備えている。【選択図】        図１
2011027618.tif 000002
【特許請求の範囲】
【請求項１】
開口部を有する文字板と、
該文字板上で回転して情報を指し示す複数の指針と、
前記開口部から露出可能な複数の標章を有し前記文字板の下で回転する回転板と、
該回転板を電気的に回転制御する回転板制御手段と、
前記指針により異種類の情報が指し示される複数種類の機能動作を選択的に実行する動作制御手段と、
を備え、
前記回転板の前記標章には、前記複数種類の機能動作の表示情報にそれぞれ対応する複数種類の標章が含まれ、
前記回転板制御手段は、前記動作制御手段により選択的に実行される機能動作に応じて該機能動作に対応する標章を前記開口部から露出させるように前記回転板を回転させる
ことを特徴とする情報表示装置。
【請求項２】
前記複数種類の機能動作には、時刻を表示する機能動作と、方位を表示する機能動作とが含まれ、
前記文字板には、９０°の間隔を開けて４つの回転角度位置に４つの開口部が設けられ、
前記回転板には、前記４つの開口部から露出されて時計の目盛値を表示する４つの標章と、前記４つの開口部から露出されて方位計の目盛値を表示する４つの標章とが設けられていることを特徴とする請求項１記載の情報表示装置。
【請求項３】
前記文字板には、実行中の機能動作の種類を表示するための第１開口部が設けられ、
前記回転板の前記第１開口部からそれぞれ選択的に露出可能な位置には、前記複数種類の機能動作をそれぞれ表わす複数の標章が設けられていることを特徴とする請求項１記載の情報表示装置。
【請求項４】
前記文字板には、前記複数の指針のうち第１の指針の回転方向に沿って延びる帯状の開口部が設けられ、
前記回転板の前記帯状の開口部からそれぞれ選択的に露出可能な位置には、前記複数種類の機能動作で前記第１指針によってそれぞれ指し示される複数種類の情報の目盛標章が、設けられていることを特徴とする請求項１記載の情報表示装置。
【請求項５】
前記文字板より外方に設けられ外部から操作可能にされた操作部を備え、
前記文字板には、前記操作部のある方向に対応した方向に第２開口部が設けられ、
前記回転板の前記第２開口部からそれぞれ選択的に露出可能な位置には、前記複数種類の機能動作で前記操作部を介して入力される複数種類の指令の内容をそれぞれ示す複数の標章が設けられていることを特徴とする請求項１記載の情報表示装置。
【発明の詳細な説明】
【技術分野】
【０００１】
この発明は、指針により情報を表示する情報表示装置に関する。
【背景技術】
【０００２】
従来、時刻表示の機能に加えて、方位計、温度計、或いは気圧計などの異なる機能を搭載した指針式の電子時計がある。このような指針式の電子時計においては、例えば、文字板に時刻表示用の記号や目盛を付する一方、ベゼル等の空いているスペースに他の機能で使用する記号や目盛を付すのが一般である。また、文字板上に小窓や小針を設けて、この小窓や小針によって他の機能の情報表示を専用に行わせることも一般に行われている。
【０００３】
また、本願発明に関連する技術として、特許文献１には、時計の文字板に複数の開口部を設け、この文字板の裏側で回転板を回転させて上記開口部に露出させる記号を切り替えることで、時刻表示用の記号を午前のものと午後のものとで切り替えられるようにした電子時計が開示されている。
【先行技術文献】
【特許文献】
【０００４】
【特許文献１】特開平０７−００５２７３号公報
【発明の概要】
【発明が解決しようとする課題】
【０００５】
多くの機能を有する指針式の電子時計においては、文字板やベゼル等に各機能で使用される記号や目盛を多数設けると、現在、どの機能の動作が行われているのか、指針によりどの記号や目盛が指し示されているのか分かり難くなるという課題が生じる。
【０００６】
この発明の目的は、指針により異種類の情報が表示される複数種類の機能動作を選択的に実行可能な情報表示装置において、ユーザにどの機能動作が実行されて何の表示が行われているのか容易に認識させることのできる情報表示装置を提供することにある。
【課題を解決するための手段】
【０００７】
本発明は、上記目的を達成するため、請求項１記載の発明は、
開口部を有する文字板と、
該文字板上で回転して情報を指し示す複数の指針と、
前記開口部から露出可能な複数の標章を有し前記文字板の下で回転する回転板と、
該回転板を電気的に回転制御する回転板制御手段と、
前記指針により異種類の情報が指し示される複数種類の機能動作を選択的に実行する動作制御手段と、
を備え、
前記回転板の前記標章には、前記複数種類の機能動作の表示情報にそれぞれ対応する複数種類の標章が含まれ、
前記回転板制御手段は、前記動作制御手段により選択的に実行される機能動作に応じて該機能動作に対応する標章を前記開口部から露出させるように前記回転板を回転させることを特徴とする情報表示装置である。
【０００８】
請求項２記載の発明は、請求項１記載の情報表示装置において、
前記複数種類の機能動作には、時刻を表示する機能動作と、方位を表示する機能動作とが含まれ、
前記文字板には、９０°の間隔を開けて４つの回転角度位置に４つの開口部が設けられ、
前記回転板には、前記４つの開口部から露出されて時計の目盛値を表示する４つの標章と、前記４つの開口部から露出されて方位計の目盛値を表示する４つの標章とが設けられていることを特徴としている。
【０００９】
請求項３記載の発明は、請求項１記載の情報表示装置において、
前記文字板には、実行中の機能動作の種類を表示するための第１開口部が設けられ、
前記回転板の前記第１開口部からそれぞれ選択的に露出可能な位置には、前記複数種類の機能動作をそれぞれ表わす複数の標章が設けられていることを特徴としている。
【００１０】
請求項４記載の発明は、請求項１記載の情報表示装置において、
前記文字板には、前記複数の指針のうち第１の指針の回転方向に沿って延びる帯状の開口部が設けられ、
前記回転板の前記帯状の開口部からそれぞれ選択的に露出可能な位置には、前記複数種類の機能動作で前記第１指針によってそれぞれ指し示される複数種類の情報の目盛標章が設けられていることを特徴としている。
【００１１】
請求項５記載の発明は、請求項１記載の情報表示装置において、
前記文字板より外方に設けられ外部から操作可能にされた操作部を備え、
前記文字板には、前記操作部のある方向に対応した方向に第２開口部が設けられ、
前記回転板の前記第２開口部からそれぞれ選択的に露出可能な位置には、前記複数種類の機能動作で前記操作部を介して入力される複数種類の指令の内容をそれぞれ示す複数の標章が設けられていることを特徴としている。
【発明の効果】
【００１２】
本発明に従うと、文字板上に現在実行中の機能動作に対応した標章が露出されることになるため、ユーザはこの文字板上に現れた標章により、現在何れの機能動作が実行中であり、指針により何の表示が行われているのか容易に認識することができるという効果がある。
【図面の簡単な説明】
【００１３】
【図１】本発明の第１実施形態の電子時計を示す正面図で、（Ａ）は時刻表示機能の動作中のもの、（Ｂ）は電子コンパス機能の動作中のものである。
【図２】図１の電子時計の文字板の裏側の機構を示した平面図である。
【図３】図１の電子時計の内部構成を示したブロック図である。
【図４】文字板の開口部と回転板の表記内容の第１変形例を示す平面図である。
【図５】文字板の開口部と回転板の表記内容の第１変形例を示す平面図である。
【図６】文字板の開口部の変形例を示す平面図である。
【図７】文字板の開口部と回転板の表記内容の第２変形例を示す電子時計の正面図である。
【発明を実施するための形態】
【００１４】
以下、本発明の実施の形態を図面に基づいて説明する。
【００１５】
図１は、本発明の情報表示装置の実施形態である電子時計１Ａを示す正面図で、（Ａ）は時刻表示機能の動作中のもの、（Ｂ）は電子コンパス機能の動作中のものである。
【００１６】
この実施形態の電子時計１Ａは、時刻表示機能と電子コンパス機能とを切り替えて実現することのできる指針式の電子時計である。この電子時計１Ａは、外周のケーシング１０と前面の風防ガラスとに囲まれた内側に、文字板５が設けられ、この文字板５上に時針２と、分針３と、秒針４とからなる３本の指針が回転可能に配置された構成になっている。また、ケーシング１０の右上部と右下部には操作部としての操作ボタンＳ１，Ｓ２が設けられている。
【００１７】
文字板５は、開口部６１〜６５と、指針２〜４の回転軸を通す貫通孔が形成された円板形状の部材である。４つの開口部６１〜６４は、文字板５の周辺部位に上下左右９０度間隔で設けられており、もう一つの開口部６５（第１開口部）は、文字板５の中央よりやや下方位置に設けられた長方形のものである。文字板５の裏側には記号や文字などの複数の標章が記された回転板２１が設けられ、上記の開口部６１〜６５を介して回転板２１の一部が露出されるようになっている。開口部６１〜６５は、貫通孔としても良いし、透明板や透明レンズにより構成しても良い。
【００１８】
図２には、電子時計１Ａの文字板５の裏側の機構を表わした平面図を示す。
【００１９】
回転板２１は、例えば、中央部分に同心円状の円形穴を有する円板状の部材であり、中央の円形穴の内周面には内歯車部２１１が形成されている。回転板２１は、文字板５の裏側で機枠１０１に回転可能に保持され、ステップモータ２３（図３参照）が回転駆動することでこの回転運動が図示略の歯車、平歯車２７、内歯車部２１１を介して伝達されて、指針２〜４の回転軸３６，４６，５６と同一の軸を中心に回転するようになっている。
【００２０】
回転板２１には、文字板５の４つの開口部６１〜６４と同一半径の円周上に複数の標章Ｈ１〜Ｈ８が設けられ、文字板５の開口部６５と同一半径の円周上に複数の標章Ｈ９，Ｈ１０が設けられている。具体的には、図２に示すように、３時の目盛値“３”を示す標章Ｈ１と、６時の目盛値“６”を示す標章Ｈ２と、９時の目盛値“９”を示す標章Ｈ３と、１２時の目盛値“１２”を示す標章Ｈ４と、東の方位記号“Ｅ”を示す標章Ｈ５と、南の方位記号“Ｓ”を示す標章Ｈ６と、西の方位記号“Ｗ”を示す標章Ｈ７と、北の方位記号“Ｎ”を示す標章Ｈ８である。また、時刻表示機能を表わす文字表記“ＴＩＭＥ”からなる標章Ｈ９と、電子コンパス機能を表わす文字表記“ＣＯＭＰ”からなる標章Ｈ１０とである。
【００２１】
これらのうち、時刻表示機能で使用される標章Ｈ１〜Ｈ４，Ｈ９は、回転板２１が第１回転位置に移動したときに、文字板５の５つの開口部６１〜６５から同時に露出されるように配置され、電子コンパス機能で使用される標章Ｈ５〜Ｈ８，Ｈ１０は、回転板２１が上記第１回転位置から少し（例えば４５°）ずれた第２回転位置に移動したときに、文字板５の５つの開口部６１〜６５から同時に露出されるように配置されている。
【００２２】
図３には、電子時計１Ａの内部構成を表したブロック図を示す。
【００２３】
この電子時計１Ａは、図３に示すように、ＣＰＵ（中央演算処理装置）を内蔵し装置の全体的な制御を行う制御部８０（回転板制御手段および動作制御手段）と、制御部８０のＣＰＵに作業用のメモリ空間を提供するＲＡＭ（Random Access Memory）８１と、制御部８０のＣＰＵにより実行される制御プログラムや制御データが格納されるＲＯＭ（Read Only Memory）８２と、回転板２１を平歯車２７を含む輪列機構２５を介して独立的に回転させる第１ステップモータ２３と、制御部８０からの信号に基づいて第１ステップモータ２３をステップ駆動する駆動回路８４と、時針２と分針３と秒針４とを輪列機構３３，４３，５３を介してそれぞれ独立的に回転させる第２〜第４ステップモータ３１，４１，５１と、制御部８０からの信号に基づき第２〜第４ステップモータ３１，４１，５１をそれぞれステップ駆動する駆動回路８５〜８７と、所定の周波数信号をカウントして現在時刻の計時を行う計時部８３と、地磁気の向きを検出する磁気センサ部８８と、上記の操作ボタンＳ１，Ｓ２が操作されることで操作信号を入力するスイッチ部８９を備えている。
【００２４】
ＲＯＭ８２に格納された制御プログラムには、計時部８３の計時動作と同期させて駆動回路８５〜８７に駆動パルスを出力して、時針２、分針３および秒針４により時刻表示を行わせる時刻表示処理の制御プログラムや、磁気センサ部８８の検出データに基づいて秒針４と分針３が常に北方を指し時針２が常に南方を指すように回転制御を行うコンパス表示処理の制御プログラムや、操作ボタンＳ１，Ｓ２を介したユーザからの操作入力に基づいて動作させる機能を切り替えるとともに、この機能の切り替えに伴って回転板２１を回転させる機能変更処理の制御プログラムが含まれている。
【００２５】
上記構成の電子時計１Ａによれば、図１（Ａ）に示すように、通常の時刻表示処理が実行されているときには、時刻表示機能を示す“ＴＩＭＥ”の標章Ｈ９が開口部６５に露出され、また、開口部６１〜６４にはそれぞれ時刻位置を示す“１２”，“３”，“６”，“９”の標章Ｈ１〜Ｈ４が露出される。すなわち、制御部８０の制御によって回転板２１が回転されて、回転板２１が図２の位置から反時計回りに４５度回転駆動された状態となる。また、この状態において回転板２１に設けられた電子コンパス機能に関する標章Ｈ５〜Ｈ８，Ｈ１０は、すべて文字板５の裏に隠される。そして、制御部８０は、計時部８３の計時データに従って指針２〜４を運針させることで、文字板５上で時刻が表示される。
【００２６】
図１（Ａ）の標章Ｈ１〜Ｈ４，Ｈ９の露出状態によって、ユーザは、電子時計１Ａが時刻表示機能の動作を行っており、指針２〜４により何時何分の時刻が表示されているのかを容易に認識することができる。
【００２７】
一方、例えば、スイッチ部８９から指令が入力されて、電子時計１Ａが電子コンパス機能として動作を開始する際には、制御部８０の制御によって回転板２１は時刻表示の状態から時計回りに４５度回転駆動されて、図１（Ｂ）に示すように、開口部６１〜６５に電子コンパス機能に対応する標章Ｈ５〜Ｈ８，Ｈ１０が露出される。この状態において、回転板２１に設けられた時刻表示機能に関する標章Ｈ１〜Ｈ４，Ｈ９は、すべて文字板５の裏に隠される。そして、制御部８０は、磁気センサ部８８を作動させて地磁気の方向を示す検出データを取得し、取得したデータに基づいて指針２〜４の駆動処理を行うことで、文字板５上で方位の表示が行われる。
【００２８】
図１（Ｂ）の標章Ｈ５〜Ｈ８，Ｈ１０の露出状態によって、ユーザは、電子時計１Ａが電子コンパスとして機能しており、指針３，４を“Ｎ”の標章Ｈ８の位置に合わせることで、“Ｅ”，“Ｓ”，“Ｗ”，“Ｎ”の標章Ｈ５〜Ｈ８により東、南、西、北の方角が示されることを容易に認識することができる。
【００２９】
以上のように、この実施形態の電子時計１Ａによれば、開口部６１〜６５が設けられている文字板５と、文字板５の裏側で回転する回転板２１とを備え、時刻表示機能の動作を行うときには開口部６１〜６５から時刻表示機能に関する標章Ｈ１〜Ｈ４，Ｈ９を選択的に露出させ、また、電子コンパス機能の動作を行うときには開口部６１〜６５から電子コンパス機能に関する標章Ｈ５〜Ｈ８，Ｈ１０を選択的に露出させるように切り替えることができる。従って、電子時計１Ａにおいて、時刻表示機能と電子コンパス機能との何れの動作が現在実行されているのかユーザが容易に認識することができる。
【００３０】
また、文字板５には９０度の間隔で４つの回転角度位置に開口部６１〜６４が設けられており、回転板２１には、上記の開口部６１〜６４に対応する位置に、時刻位置を示す“３”，“６”，“９”，“１２”の４つの標章Ｈ１〜Ｈ４と、方位を示す“Ｅ”，“Ｓ”，“Ｗ”，“Ｎ”の４つの標章Ｈ５〜Ｈ８とがそれぞれ設けられているので、時刻表示機能と電子コンパス機能に適した標章Ｈ１〜Ｈ４，Ｈ５〜Ｈ８をそれぞれ選択的に表示させることができる。
【００３１】
さらに、文字板５には中央やや下方に開口部６５が設けられ、回転板２１にはこの開口部６５に対応した位置に時刻表示機能を表わす文字表記“ＴＩＭＥ”からなる標章Ｈ９と、電子コンパス機能を表わす文字表記“ＣＯＭＰ”からなる標章Ｈ１０とが設けられて、動作している機能に基づいて標章Ｈ９或いは標章Ｈ１０の何れかが開口部６５から露出するので、時刻表示機能と電子コンパス機能との何れの動作が現在実行されているのかをユーザに確実に認識させることができる。
【００３２】
［第１変形例］
図４と図５には、文字板の開口部と回転板の表記内容の第１変形例を表わした平面図を示す。
【００３３】
この第１変形例は、電子時計の文字板上における一部範囲（例えば３時位置、６時位置、９時位置など）に設けられる小窓５ｂの構成に、回転板２１ｂによる標章の切り替え構成を適用した例である。小窓５ｂには当該小窓５ｂ内で回転する小針６（第１の指針）が設けられ、この小針６が指し示す位置によって各種の情報が表示される。
【００３４】
図４と図５に示すように、この実施形態の小窓５ｂには、小針６の回転方向に沿って延びる帯状の開口部６６が一個設けられている。この開口部６６は、例えば、小針６の回転方向に沿った一部の角度範囲に設けられている。
【００３５】
回転板２１ｂは、例えば小窓５ｂとほぼ同等の大きさに形成され、小針６の回転軸を中心に、小窓５ｂの裏側で回転するように構成されている。回転板２１ｂには、図４（Ａ），（Ｂ），図５（Ａ），（Ｂ）にそれぞれ示すように、潮汐計の目盛や図柄が記された標章Ｈ２１と、気圧計の目盛や図柄が記された標章Ｈ２２と、１０分タイマーの残り時間を示す目盛や図柄が記された標章Ｈ２３と、充電池の残り電力を表わすパワーリザーブメータのレンジ表記がされた標章Ｈ２４とが、それぞれ開口部６６から露出可能な位置に設けられている。
【００３６】
そして、電子時計の小針６による情報表示機能が、潮汐計、気圧計、タイマー、パワーリザーブメータに切り替えられる際に、制御部８０の制御によって、回転板２１ｂが電気的に回転駆動されて、図４（Ａ），（Ｂ），図５（Ａ），（Ｂ）に示すように、対応する標章Ｈ２１〜Ｈ２４が開口部６６から露出されるようになっている。
【００３７】
この第１変形例の電子時計には、気圧計の機能、潮汐計の機能、タイマー機能、パワーリザーブメータの機能を、それぞれ実現するため、気圧センサ、潮汐データを算出する機能プログラム、タイマープログラム、充電池の電圧検出器などが備わり、これらの構成によって、上記の複数種類の機能動作が実現されるようになっている。
【００３８】
なお、回転板２１ｂに、温度計の目盛や図柄が記された標章や、高度計の目盛や図柄が記された標章を設けておき、これらを開口部６６から露出させて、小針６により温度や高度を表示させるようにすることもできる。
【００３９】
図６には、文字板の開口部の変形例を表わした平面図を示す。また、帯状の開口部の円周方向に沿った長さは、図６の開口部６７に示すように長く構成することもできる。この場合、回転板２１ｃには、長い開口部６７に対応する大きさの目盛や記号を有する標章を設けることができる。
【００４０】
以上のように、この第１変形例の構成によれば、小針６の回転方向に沿って延びる帯状の開口部６６，６７と、回転板２１ｂ，２１ｃに設けられた各機能の標章Ｈ２１〜Ｈ２４により、潮汐計、気圧計、タイマー、パワーリザーブメータなどの各機能が切り替えられた場合に、標章Ｈ２１〜Ｈ２４の中から該当の機能に対応した目盛や図柄を含む標章が開口部６６，６７から露出することになる。それにより、ユーザは潮汐計、気圧計、タイマー、パワーリザーブメータなどの各機能の切り替えを容易に認識することができる。
【００４１】
なお、この第１変形例では、文字板上の一部範囲に設けられる小窓５ｂ，５ｃの構成として説明したが、この小窓５ｂ，５ｃが文字板全体となるような形態の構成とすることも可能である。また、上記第１変形例では、回転板２１ｂ，２１ｃが小窓５ｂ，５ｃと同等の大きさで小窓５ｂ，５ｃの中央の軸を中心に回転する構成として説明したが、回転板は文字板と同等の外径を有する大きさにして文字板の中央の軸を中心に回転する構成とし、この構成の文字板により、小窓５ｂ，５ｃの開口部６６，６７に露出される標章を切り替えるようにすることもできる。
【００４２】
［第２変形例］
図７には、文字板の開口部と回転板の表記内容の第２変形例を表わした電子時計１Ｄの正面図を示す。
【００４３】
第２変形例の電子時計１Ｄは、操作ボタンＳ１，Ｓ２の操作によってアラーム機能のオン・オフを切り替えるアラーム設定機能と、操作ボタンＳ１，Ｓ２の操作によって指針２〜４の位置を移動させる針位置訂正機能と、夏時間（Daylight Saving Time）の時刻表示を行う夏時間表示機能とを有するものである。なお、針位置訂正機能は、アラーム時刻を設定する際にも使用することが可能なものである。
【００４４】
文字板５ｄには、３箇所に開口部６８，６９，６５ｄが設けられている。開口部６５ｄは、第１実施形態における開口部６５と同様に動作中の機能の種類が示されるものである。また、開口部６８，６９（第２開口部）は、右側の２箇所の操作ボタンＳ１，Ｓ２に隣接する位置に設けられており、動作中の機能に対応した操作ボタンＳ１，Ｓ２の操作内容が示されるようになっている。
【００４５】
回転板２１ｄには、文字板５ｄの開口部６５ｄと同一半径の円周上に、時刻表示機能を表わす文字“ＴＩＭＥ”からなる標章と、アラーム設定機能を表わす文字“ＡＬＡＲＭ”からなる標章Ｈ３３と、針位置訂正機能を表わす文字“ＳＥＴ”からなる標章Ｈ３６と、夏時間表示機能を表わす文字“ＤＳＴ”からなる標章Ｈ３７とが設けられている。さらに、文字板５ｄの開口部６８，６９と同一半径の円周上には、アラーム機能のオン、オフの操作内容を示す文字“ＯＮ”，“ＯＦＦ”からなる標章Ｈ３１，Ｈ３２と、指針２〜４の位置を順回転方向と逆回転方向に移動させる操作内容を示す記号“＋”，“−”からなる標章Ｈ３４，Ｈ３５とが設けられている。
【００４６】
そして、回転板２１ｄが制御部８０の制御によって各機能動作に対応するように回転制御されることで、アラーム設定機能の処理中には、図７（Ａ）に示すように標章Ｈ３１〜Ｈ３３が文字板５ｄの開口部６５ｄ，６８，６９に露出され、針位置訂正機能の処理中には、図７（Ｂ）に示すように標章Ｈ３４〜Ｈ３６が文字板５ｄの開口部６５ｄ，６８，６９に露出され、夏時間表示機能の動作中には、図７（Ｃ）に示すように標章Ｈ３７が文字板５ｄの開口部６５ｄに露出され、開口部６８，６９には何の標章も露出されないようになっている。
【００４７】
以上のように、この第２変形例の電子時計１Ｄによれば、実行中の機能動作に対応させて操作ボタンＳ１，Ｓ２の操作内容を表示する標章３１，Ｈ３２，Ｈ３４，Ｈ３５が切り替えられるので、各機能動作ごとに操作ボタンＳ１，Ｓ２から入力できる指令の内容が変化する場合でも、ユーザにこれらの変化を容易に認識させることができる。
【００４８】
なお、本発明は、上記実施の形態に限られるものではなく、様々な変更が可能である。例えば、回転板２１の形状は、板面が中心角で３６０°の範囲に広がった形状とせずに、板面が扇形の範囲にのみ広がった形状としても良い。また、各機能動作の組み合わせ、文字板上の開口部の組み合わせ、回転板の標章の組み合わせも、適宜変更可能である。
【００４９】
また、上記実施形態では、情報表示装置として時刻表示機能を備えた電子時計を例示したが、例えば、電子コンパス、気圧計、高度計を有し時刻表示機能を有さない装置としても良い。その他、回転板に形成された標章の具体例など、実施形態で示した細部は発明の趣旨を逸脱しない範囲で適宜変更可能である。
【符号の説明】
【００５０】
１Ａ，１Ｄ    電子時計
２            時針
３            分針
４            秒針
５，５ｄ      文字板
５ｂ，５ｃ    小窓
６            小針
２１，２１ｂ〜２１ｄ    回転板
６１〜６９，６５ｄ      開口部
８０          制御部
８３          計時部
Ｈ１〜Ｈ１０，Ｈ２１〜Ｈ２４，Ｈ３１〜Ｈ３７  標章
Ｓ１，Ｓ２    操作ボタン
２３，３１，４１，５１  ステップモータ
２５，３３，４３，５３  輪列機構
２７          平歯車
８４〜８７    駆動回路
８８          磁気センサ部
８９          スイッチ部
１０１        機枠
２１１        内歯車部
【図１】
2011027618.tif 000003
【図２】
2011027618.tif 000004
【図３】
2011027618.tif 000005
【図４】
2011027618.tif 000006
【図５】
2011027618.tif 000007
【図６】
2011027618.tif 000008
【図７】
2011027618.tif 000009